【手続補正書】
【提出日】平成20年8月13日(2008.8.13)
【手続補正１】
【補正対象書類名】明細書
【補正対象項目名】全文
【補正方法】変更
【補正の内容】
【書類名】  明細書
【発明の名称】先端に傾斜部を有するフォーク
【特許請求の範囲】
【請求項１】
主に食べ物を食べる為の先端部が複数本の突起状の食べ物を刺すフォーク部と、手で把持する為の把持部と、該把持部と前記フォーク部とを接続させる柄部とからなるフォークであって、前記複数本のフォーク部の夫々の先端を結ぶ線が前記把持部の軸芯に対し８０°から４０°の角度に沿った傾斜直線状又は中高山状としたことを特徴とする先端に傾斜部を有するフォーク。
【請求項２】
前記フォークのフォーク部の中央辺に内側面が凹面形状の窪み部を形成したことを特徴とする請求項１に記載の先端に傾斜部を有するフォーク。
【請求項３】
前記複数本のフォーク部の夫々の先端を結ぶ線は前記把持部の軸芯の延長線と平面上で略クロスするように位置させることを特徴とする請求項１〜２のいづれか一項に記載の先端に傾斜部を有するフォーク。
【発明の詳細な説明】
【０００１】
【発明の属する技術分野】
本発明は、主に食べ物を食べたりするためのフォークで、更に詳細には、皿等の食べ物をフォーク部の先端部で刺して持ち上げたり、先端部の付近で食べ物をすくい上げたりするフォークに関するものである。
【０００２】
【従来の技術】
従来から、フォークは主に洋食を食する為の必需品であり、各家庭やレストランでの食事の時に使用されている。近年は洋食ばかりでなく、和食、中華等の料理にも使われている。特に左右の手にフォークとナイフを持つスタイルばかりでなく、フォークのみで野菜、果物、煮物等を食べるケースも少なくない。
【０００３】
【解決しようとする課題】
従来、平らな皿状の上に載った食べ物を食べるときに、肉や野菜等の固まりや、断片を、フォークの先端で刺して、持ち上げ口に運んだりする、この先端で食物を刺す行為を行う際、フォーク部の先端の並びは把持部の軸芯に対し直角方向に位置している。このため図１に図示するように食物に対し把持部をほぼ直角に立てるか、食物の横方向にフォーク部の先端を刺さなければならなかった。また、口元に運び口に入れる際も先端部が把持部の軸芯と直角方向のため、図２に図示するように口の真正面から真っ直ぐに差し込む状態となっている。また、図３に図示するように、一般に側面でのフォーク部の先端位置は柄部の曲がりを補正するために、フォーク部の把持部の軸芯に対し、上側になっている。このため把持部の力が先端部に集約しにくかった。また、フォークでグリンピース等を拾うのにフォーク部が平面を曲げた形状のためフォーク先端に対し、横からこぼれ落ちてしまことが有った。また、フォークで有る程度柔らかめの固形の食べ物を切る機能は無かった。
【０００４】
【課題を解決するための手段】
本発明の傾斜部を有するフォークは、前述の課題に鑑み、複数本のフォーク部の夫々の先端を結ぶ線が把持部の軸芯に対し８０°から４０°の角度に沿った傾斜直線状又は中高山状としたものであり、更に、フォークのフォーク部の中央辺に内側面が凹面形状の窪み部を形成したものであり、更には、複数本のフォーク部の夫々の先端を結ぶ線は把持部の軸芯の延長線と平面上で略クロスするように位置させるものである。
【０００５】
【発明の実施の形態】
以下、本発明の実施の形態の先端に傾斜部を有したフォークを図面を用いて具体的に説明する。図１は従来のフォークの食べ物を刺す状態の説明図であり、図２は従来のフォークの食べ物を口に入れる状態の説明図であり、図３は従来のフォークの軸芯を示す説明図であり、図４は本発明の先端に傾斜部を有したフォークの実施例の平面図であり、図５は本発明の先端に傾斜部を有したフォークの他の実施例の平面図であり、図６は本発明の先端に傾斜部を有したフォークの実施例の食べ物を刺す状態の説明図であり、図７は本発明の先端に傾斜部を有したフォークの他の実施例で食べ物を刺す状態の説明図であり、図８は本発明の先端に傾斜部を有したフォークの実施例で食べ物を口に入れる状態の説明図であり、図９は本発明の先端に傾斜部を有したフォークの他の実施例で食べ物を掬った状態の説明図であり、図１０は本発明の先端に傾斜部を有したフォークの他の実施例の説明図であり、図１１は本発明の先端に傾斜部を有したフォークの実施例の把持部の軸芯を示す説明図であり、図１２は本発明の先端に傾斜部を有したフォークの他の実施例で把持部の軸芯を示す説明図であり、図１３は本発明の先端に傾斜部を有したフォーク他の実施例の平面図であり、図１４は本発明の先端に傾斜部を有したフォークの他の実施例で食べ物を切る状態を示す説明図である。
【０００６】
本発明は、主に食べ物を食べたりするためのフォークで、更に詳細には、皿等の食べ物をフォーク部の先端部で刺して持ち上げたり、先端部の付近で食べ物をすくい上げたりするフォークに関するものであり、請求項１に記載の先端に傾斜部を有するフォークは、主に食べ物を食べる為の先端部が複数本の突起状の食べ物を刺すフォーク１部と、手で把持する為の把持部２と、該把持部２と前記フォーク部１とを接続させる柄部３とからなるフォーク１０であって、前記複数本のフォーク部１０の夫々の先端を結ぶ線１ａが前記把持部２の軸芯８０に対し８０°から４０°の角度に沿った傾斜直線状又は中高山状としたことを特徴とするものである。
【０００７】
更に、請求項２に記載の先端に傾斜部を有するフォークは、請求項１に記載の先端に傾斜部を有するフォークにおいて、前記フォーク１０のフォーク部１の中央辺に内側面が凹面形状の窪み部７を形成したことを特徴とするものである。
【０００８】
更には、請求項３に記載の先端に傾斜部を有するフォークは、請求項１〜２のいづれか一項に記載の先端に傾斜部を有するフォークにおいて、前記複数本のフォーク部１の夫々の先端を結ぶ線１ａは前記把持部２の軸芯８の延長線と平面上で略クロスするように位置させることを特徴とするものである。
【０００９】
【実施例】
即ち、本発明の先端に傾斜部を有するフォークは、図４から図９に図示する如く、洋箔、ステンレス鋼、チタン合金、等の金属、合成樹脂、セラミック材、木等で形成されるものであり、一体成形でも、フォーク部と把持部を別に作成し結合したものでも構わないものである。
【００１０】
そして、フォーク１０は、図４、図５に図示するように、フォーク部１と把持部２が柄３で接合されたものであり、フォーク部１の先端を結ぶ線１ａを把持部２の軸芯８に対し８０°から４０°の角度に沿った傾斜直線状、又は、中高山状としたものである。
【００１１】
次に、図６、図７に図示するものは、フォーク部１の先端１ｂで断面円形状の食べ物４ａを刺した状態の図であり、手５の角度が平面に対し６０°前後の自然な角度で刺せるものである。
【００１２】
次いで、図８に図示するものは、図４に図示したフォーク１０で食べ物４ｂを口６に入れる図であるが、図２に図示するものと比較して、フォーク１０を正面直角方向に向けなくとも口６に対し横方向に６０°前後の自然な角度で入れられる。
【００１３】
更に、図９、図１０に図示するものは、フォーク部１に凹面形状の窪み部７を設けた請求項２に記載の説明図であり、図９は球形状の食べ物４ｃをすくい上げて窪み部７に乗載させた状態を示すものである。
【００１４】
更には、図１１、図１２に図示するものは、請求項３に記載の説明図であり、図１１に図示するものはフォーク部１の先端を結ぶ線１ａが把持部２の軸芯８の延長線と平面上で略クロスするように位置させたことを示すものである。
【００１５】
また、図１２に図示するものは、図５に図示したフォーク１０のフォーク部１に窪み部７を設けた実施例の図９に図示するフォーク１０のフォーク部１の先端を結ぶ線１ａを把持部２の軸芯８に平面上で略クロスさせた説明図であり、フォーク部１の先端を結ぶ線１ａと側面９が把持部２の軸芯８の延長線上に位置していることを示すものである。
【００１６】
加えて、図１３に図示するものは、フォーク部１の先端１ｂを５本にしたものであり、先端１ｂの本数は特に限定しないものである。
【００１７】
そして、図１４に図示するものは、図１３に図示したフォーク１０の側面９、及び、先端を結ぶ線１ａで、ある程度柔らかめの固形食べ物４ｄを切断面１１を形成し切断する図を示すものである。
【００１８】
前述の説明は基本的に右手を使う場合の形であるが、左手を主に使う場合は把持部２の軸芯８を中心に対称形にすれば良いものである。
【００１９】
【発明の効果】
本発明は前述の構成のように、請求項１では、手首の捻りが少なく、自然な角度で断面円形状の食べ物も先端で刺しやすく、口に入れやすくなり、請求項２では、窪み部を利用し、球形の食べ物も掬いやすくなり、請求項３では軸芯がフォーク部先端と一致しているため、食べ物を刺すときに少ない力で刺しやすくなっている、また、ある程度柔らかな固形の食べ物が引く動作等で切りやすい。このため力が少ない子供から、手の捻りが難しく、力が入れにくい老人から障害者等に関しても、無理のない自然な手の動きで食べる事が可能となる。
【００２０】
【図面の簡単な説明】
【図１】
図１は従来のフォークの食べ物を刺す状態の説明図である。
【図２】
図２は従来のフォークの食べ物を口に入れる状態の説明図である。
【図３】
図３は従来のフォークの軸芯を示す説明図である。
【図４】
図４は本発明の先端に傾斜部を有したフォークの実施例の平面図である。
【図５】
図５は本発明の先端に傾斜部を有したフォークの他の実施例の平面図である。
【図６】
図６は本発明の先端に傾斜部を有したフォークの実施例の食べ物を刺す状態の説明図である。
【図７】
図７は本発明の先端に傾斜部を有したフォークの他の実施例で食べ物を刺す状態の説明図である。
【図８】
図８は本発明の先端に傾斜部を有したフォークの実施例で食べ物を口に入れる状態の説明図である。
【図９】
図９は本発明の先端に傾斜部を有したフォークの他の実施例で食べ物を掬った状態の説明図である。
【図１０】
図１０は本発明の先端に傾斜部を有したフォークの他の実施例の説明図である。
【図１１】
図１１は本発明の先端に傾斜部を有したフォークの実施例の把持部の軸芯を示す説明図である。
【図１２】
図１２は本発明の先端に傾斜部を有したフォークの他の実施例で把持部の軸芯を示す説明図である。
【図１３】
図１３は本発明の先端に傾斜部を有したフォーク他の実施例の平面図である。
【図１４】
図１４は本発明の先端に傾斜部を有したフォークの他の実施例で食べ物を切る状態を示す説明図である。
【符号の説明】
１…フォーク部
１ａ…先端を結ぶ線
１ｂ…先端
２…把持部
３…柄部
４ａ…断面円形状の食べ物
４ｂ…食べ物
４ｃ…球形食べ物
４ｄ…固形食べ物
５…手
６…口
７…窪み部
８…軸芯
９…側面
１０…フォーク
１１…切断面